(57)【特許請求の範囲】
【請求項１】
被切断部材を支持するベース部と、
切断刃を回転可能に支持する切断部と、
該ベース部に設けられ、該切断部を該ベース部上方で該ベース部に対して近接離間する方向に揺動可能に支持する支持部と、
該支持部に設けられたピンと
該切断部に回動軸を介して設けられた保護カバーと、
一端が該ピンにより該支持部に軸支され他端が該保護カバーに該回動軸と異なる位置で軸支されたリンクと、を備えた卓上切断機であって、
該切断部であって該リンクの一端近傍箇所には掛止部が設けられ、
該ピンは、該掛止部と掛止して該切断部が該ベース部から最離間した揺動位置を保持する第一位置と、該掛止部と掛止して該切断部が該ベース部に最近接した揺動位置を保持する第二位置との間を選択的に移動可能であることを特徴とする卓上切断機。
【請求項２】
該支持部は、切断部支持部と、第一回動位置から第二回動位置までの間で回動可能なリンク支持部とから構成され、
該リンク支持部は、一端に該ピンを備えると共に他端で該切断部支持部の一端と回動可能に連結され、
該切断部支持部は、該ベース部に接続され、
該リンク支持部が該第一回動位置にある時に該ピンは該第一位置にあり、該リンク支持部が該第二回動位置にある時に該ピンは該第二位置にあることを特徴とする請求項１に記載の卓上切断機。
【請求項３】
該支持部は該ベース部の後端側に配置され、
該保護カバーは該ベース部の前端側に位置するとともに、該リンクの該後端側から該前端側への移動に伴い、該切断刃を曝す切断位置から該切断刃を覆う保護位置へと移動可能であり、
該切断部が該ベース部に対して最も近接している状態で、該リンク支持部の該第一回動位置から該第二回動位置への移動に伴い、該リンクが該後端側から該前端側方向へと移動すると共に該保護カバーが該切断位置から該保護位置方向へと移動することを特徴とする請求項２に記載の卓上切断機。
【請求項４】
該支持部は、一端側に該ピンを第一摺動位置と第二摺動位置との間で該ピンの軸方向に摺動可能に軸支するピン保持孔が形成され、他端側で該ベース部に接続され、
該掛止部は、第一掛止部と、該第一掛止部とは別領域にある第二掛止部とを有し、
該ピンが該第一摺動位置にあるときに該ピンは該第一掛止部と当接して該第一位置が提供され、該突出部が該第二摺動位置にあるときに該突出部は該第二掛止部と当接して該第二位置が提供されることを特徴とする請求項１に記載の卓上切断機。
【請求項５】
該支持部は該ベース部の後端側に配置され、
該保護カバーは該ベース部の前端側に位置するとともに、該リンクの該後端側から該前端側への移動に伴い、該切断刃を曝す切断位置から該切断刃を覆う保護位置へと移動可能であり、
該切断部が該ベース部に対して最も近接している状態で、該ピンの該第一摺動位置から該第二摺動位置への移動に伴い、該リンクが該後端側から該前端側方向へと移動すると共に該保護カバーが該切断位置から該保護位置へと移動することを特徴とする請求項４に記載の卓上切断機。
【発明の詳細な説明】
【技術分野】
【０００１】
本発明は卓上切断機に関し、特に切断刃を保護する機構を備えた卓上切断機に関する。
【背景技術】
【０００２】
従来、卓上切断機である卓上丸鋸では、丸鋸刃を有する切断部が、被切断材を担持するベース部上で上下方向に揺動して被切断材を切断している。従って切断時においては、切断部はベース部上方に被切断部材を配置して揺動可能な空間を確保するべく、バネ等の付勢部材で上方に付勢されてベース部から離間している。また非切断時の卓上丸鋸の省スペース性や移動性を図るために、非切断時においては切断部が切断状態、即ち切断部がベース部に最も近接した状態で保持可能となっている。この切断部を近接した状態で保持するべく、特許文献１に示されるように、ピンを用いて切断部がベース部に近接した状態で保持する機構が開示されている。またこのピンの他にも、最離間した位置で切断部を保持する機構、例えば他のピン等も備えている。
【０００３】
また丸鋸刃は鋭利な刃を備えているため、非切断時に切断部が離間した位置に有る状態で、丸鋸刃が露出している部分を保護カバーにより保護する構成が広く実施されている。この構成では、切断時に丸鋸刃が露出する必要があるため、切断部が揺動して近接した位置に移動するに従い、保護カバーは取り外し又は移動されて丸鋸刃が露出する構成になっている。
【特許文献１】特許３４３１４０３号公報
【発明の開示】
【発明が解決しようとする課題】
【０００４】
しかし、上述の卓上丸鋸では、切断部の離間位置を規定するピン等を含む機構と、切断部の近接位置でロックするロック機構と、の両方が必要であり、これら二つの機構を設置するスペースが必要となっていた。また二つの機構を設けることをから装置全体としての構成部品数も増加していた。
【０００５】
また、保護カバーを設けた場合に、切断部がベース部から離間した位置にある場合において切断刃を覆うことはできる。しかし卓上丸鋸を移動するときなどの、非切断時で切断刃がベース部に近接した位置にある時は、切断刃が露出していた。近年の欧州規格（ＥＮ）では、卓上丸鋸の移送時に切断刃は覆われて露出しない状態としなければならないが、保護カバーの近接位置への揺動とともに露出する構成を採った場合には、移送時に切断刃が露出することとなり、上記規格に適合することができなかった。上記規格に適合するために、別の保護カバーを装着したり、保護カバーを切断刃が覆われる位置まで移動させるべく切断部のロックに係るピン以外の新たな機構を採用したりしたが、作業が繁雑になり、かつ構成部品も増える結果となっていた。
【０００６】
そこで本発明は、少ない部品で切断部を近接位置で保持可能にすると共に離間位置を規定し、かつ切断刃の移動時の露出を防止した卓上切断機を提供することを目的とする。
【課題を解決するための手段】
【０００７】
上記課題を解決するために本発明は、被切断部材を支持するベース部と、切断刃を回転可能に支持する切断部と、該ベース部に設けられ、該切断部を該ベース部上方で該ベース部に対して近接離間する方向に揺動可能に支持する支持部と、該支持部に設けられたピンと、該切断部に回動軸を介して設けられた保護カバーと、一端が該ピンにより該支持部に軸支され他端が該保護カバーに該回動軸と異なる位置で軸支されたリンクと、を備えた卓上切断機であって、該切断部であって該リンクの一端近傍箇所には掛止部が設けられ、該ピンは、該掛止部と掛止して該切断部が該ベース部から最離間した揺動位置を保持する第一位置と、該掛止部と掛止して該切断部が該ベース部に最近接した揺動位置を保持する第二位置との間を選択的に移動可能である卓上切断機を提供する。
【０００８】
上記構成の卓上切断機において、該支持部は、切断部支持部と、第一回動位置から第二回動位置までの間で回動可能なリンク支持部とから構成され、該リンク支持部は、一端に該ピンを備えると共に他端で該切断部支持部の一端と回動可能に連結され、該切断部支持部は、該ベース部に接続され、該リンク支持部が該第一回動位置にある時に該ピンは該第一位置にあり、該リンク支持部が該第二回動位置にある時に該ピンは該第二位置にあることが好ましい。
【０００９】
また該支持部は該ベース部の後端側に配置され、該保護カバーは該ベース部の前端側に位置するとともに、該リンクの該後端側から該前端側への移動に伴い、該切断刃を曝す切断位置から該切断刃を覆う保護位置へと移動可能であり、該切断部が該ベース部に対して最も近接している状態で、該リンク支持部の該第一回動位置から該第二回動位置への移動に伴い、該リンクが該後端側から該前端側方向へと移動すると共に該保護カバーが該切断位置から該保護位置方向へと移動することが好ましい。
【００１０】
また上記構成の卓上切断機において、該支持部は、一端側に該ピンを第一摺動位置と第二摺動位置との間で該ピンの軸方向に摺動可能に軸支するピン保持孔が形成され、他端側で該ベース部に接続され、該掛止部は、第一掛止部と、該第一掛止部とは別領域にある第二掛止部とを有し、該ピンが該第一摺動位置にあるときに該ピンは該第一掛止部と当接して該第一位置が提供され、該突出部が該第二摺動位置にあるときに該突出部は該第二掛止部と当接して該第二位置が提供されてもよい。
【００１１】
また該支持部は該ベース部の後端側に配置され、該保護カバーは該ベース部の前端側に位置するとともに、該リンクの該後端側から該前端側への移動に伴い、該切断刃を曝す切断位置から該切断刃を覆う保護位置へと移動可能であり、該切断部が該ベース部に対して最も近接している状態で、該ピンの該第一摺動位置から該第二摺動位置への移動に伴い、該リンクが該後端側から該前端側方向へと移動すると共に該保護カバーが該切断位置から該保護位置へと移動してもよい。
【発明の効果】
【００１２】
請求項１記載の卓上切断機によれば、ピンにより、切断部が揺動する際のベース部から最も離間した位置と、最も近接した位置とを規定することができる。従って切断部の最も離間した位置を規定する部材と、最も近接した状態で保持する部材とを一の部品から構成することが可能となり、装置全体としての構成部品数を低減することができる。
【００１３】
請求項２及び請求項４に記載の卓上切断機によれば、リンク支持部の回動及びピンの軸方向への摺動で、ピンが第一位置と第二位置とを移動することができる。従って簡単な構成でピンを第一位置及び第二位置に配置し、切断部を保持することができる。
【００１４】
請求項３及び請求項５に記載の卓上切断機によれば、リンクの前後動により保護カバーが切断位置及び保護位置へと移動する。よって切断部が最も近接した位置にある場合にリンクを前方へ移動することにより、保護カバーが保護位置側へと移動して切断刃を保護することができる。
【発明を実施するための最良の形態】
【００１５】
以下、本発明の第１の実施の形態に係る卓上切断機を図１乃至図５を参照して説明する。図１に示される卓上切断機である卓上丸鋸１は、ベース部２と、切断部４と、支持部３とから主に構成されている。
【００１６】
ベース部２は、被切断部材が載置されるベース２１と、ターンテーブル２２と、フェンス２３とを備えている。尚、ベース部２において、ベース部２に対する被切断部材の位置を上方とし、上方の反対方向を下方と定義する。またベース部２において支持部３が設けられている方向を後方とし、後方の反対方向を前方と定義する。
【００１７】
ターンテーブル２２は、ベース２１上に回動軸２４を介して担持され、回動軸２４を中心として回動可能となっている。ターンテーブル２２が回動することにより、被切断部材のいわゆる回転切りが可能になっている。ターンテーブル２２には、切断部４がベース部２に近接する方向に揺動したときに後述の切断刃４２が収容される弧状凹部２２ａが形成されている。ターンテーブル２２の前側には、ターンテーブル２２とベース２１との間を固定すると共にターンテーブル２２を回動する際の把握部となる固定ハンドル２５が設けられている。またターンテーブル２２の後側には、支持部３と後述の回動軸３５Ａで連結されて支持部３を傾動可能に支持する傾動支持部２２Ａが設けられている。
【００１８】
支持部３は、切断部支持部３１とリンク支持部３２とから主に構成されている。切断部支持部３１は、一端が一対の腕状に構成されており一方の腕状部分の最端部にはリンク支持部３２がボルト３３により回動可能に設けられている。また他端が傾動支持部２２Ａに回動軸３５Ａで軸支されている。一対の腕状部分に跨って支持軸部４６が設けられており、支持軸部４６で切断部４が傾動可能に軸支されている。また支持軸部４６にはバネ３４が設けられており、バネ３４により切断部４がベース部２から離間する方向である上方に付勢されている。
【００１９】
切断部支持部３１の他端側であって傾動支持部２２Ａの近傍には、傾動機構３５が設けられておりベース部２に対する支持部３及び切断部４の傾動を制御している。傾動機構３５内には、図示せぬギア及びハンドルレバー３５Ｂが設けられており、ハンドルレバー３５Ｂとギアとの連動により支持部３及び切断部４を所定の傾動角度に保持可能としている。支持部３及び切断部４が傾動することにより、被切断部材のいわゆる傾斜切りが可能になっている。
【００２０】
リンク支持部３２は、一端側に後述のリンク６を回転可能に支持するピン５が設けられ、他端側で切断部支持部３１にボルト３３により回動可能に軸支されている。このときにリンク支持部３２及びボルト３３の位置は、ボルト３３の回動軸が支持軸部４６の回動軸と同軸になるように構成されている。図１に示されるように、リンク支持部３２において、ピン５位置が切断部支持部３１より後側にある時を第一回動位置と定義し、この時のピン５の位置が第一位置となる。また図５に示されるように、リンク支持部３２において、ピン５が切断部支持部３１より前側にある時を第二回動位置と定義し、この時のピン５の位置が第二位置となる。
【００２１】
切断部４は、フレーム４１と切断刃４２と保護カバー４３とから主に構成されている。フレーム４１は、切断刃４２が配置される切断刃配置部４１Ａと、前方側に設けられて切断部４の揺動時に把握箇所となるハンドル４１Ｂと、卓上丸鋸１を輸送する際の保持部となる輸送用ハンドル４１Ｃとを有している。またフレーム４１内には切断刃４２の回転軸４２Ａを駆動する図示せぬモータが内蔵されており、ハンドル４１Ｂには、図示せぬモータの駆動を制御する図示せぬスイッチが設けられている。この図示せぬスイッチを入れることにより図示せぬモータで切断刃配置部４１Ａ内に配置された切断刃４２が回転軸４２Ａを回転中心として回転される。
【００２２】
保護カバー４３は、切断刃配置部４１Ａ及び切断刃４２を覆うように回動軸部４４で回動可能にフレーム４１に取り付けられている。回動軸部４４は、切断刃４２の回転軸４２Ａの上方に配置されている。よって保護カバー４３は、切断刃４２及び切断刃配置部４１Ａの周囲を回動可能となっている。この保護カバー４３は、図１に示されるように切断部４がベース部２から最も離間した状態で切断刃４２が切断刃配置部４１Ａより露出する箇所のほぼ全てを覆われる位置（保護位置）に配置されている。
【００２３】
また切断部４がベース部２から最も離間した状態で保護カバー４３の回動軸部４４上方位置には、リンク取付部４５が配置されている。このリンク取付部４５とピン５との間に板状のリンク６が設けられている。
【００２４】
リンク６には、リンク取付部４５が挿入される長孔６ａがリンク６の長手方向に形成されている。故にリンク６は、リンク取付部４５及び保護カバー４３に対して、リンク６の長手方向に移動することが可能となっている。
【００２５】
また図２及び図３に示されるように、フレーム４１であってリンク６の一端であるピン５位置近傍箇所には、ピン５と掛止可能な掛止部４１Ｄが設けられている。ピン５が第一回動位置にある状態で掛止部４１Ｄは、ピン５と当接している。切断部４は、ベース部２から離間する方向に付勢されているが、ピン５が有ることにより切断部４は、図１に示される位置よりは上方に移動することができなくなっている。故にピン５により切断部４は、最もベース部２より離間する位置を規定され、その位置で保持されることになる。
【００２６】
図４に切断部４をベース部２に最も近接させた状態を示す。この状態おいて保護カバー４３は、リンク６により、切断刃配置部４１Ａに対して相対的に後方に引っ張られ、切断刃配置部４１Ａ及び切断刃４２周りを回動して略切断刃配置部４１Ａのみを覆う位置（切断位置）に配置される。故に切断刃４２は露出し、その露出した切断刃４２の一部がターンテーブル２２に形成された弧状凹部２２ａ内に挿入される。図４に示される位置まで切断部４が揺動された状態で図示せぬストッパが働き、切断部４のベース部２に最も近接する位置が規定される。
【００２７】
この状態で切断刃配置部４１Ａからベース部２表面までの間には隙間が存在するため、切断刃４２の一部、より具体的には切断刃配置部４１Ａとベース部２表面との間かつ前側位置の部分が外部に曝される状態となる。よってこの曝された部分を保護カバー４３で覆うべく、リンク６を前方へ移動させる。
【００２８】
リンク６を前方へ移動させるには、図４に示されるように、リンク支持部３２を図４中の矢印に示されるように、時計回りに回動させて第二回動位置へと移動させ、ピン５を第二位置へと移動する。図５に示されるように、ピン５が第二位置へと移動した場合、リンク６は前に移動する。
【００２９】
リンク６が前に移動することにより、保護カバー４３は、切断位置から保護位置側へと移動し、その保護位置側端部がベース部２と当接する。これにより切断刃４２の外部に曝される箇所が保護カバー４３で保護される。尚、リンク６の前への移動量が保護カバー４３の切断位置から保護位置側への移動量より大きくなった場合は、リンク取付部４５が長孔６ａ内を相対的に摺動することにより、リンク６の移動量と保護カバー４３の移動量との差を吸収して保護カバー４３を好適に移動させることができる。
【００３０】
また切断部４がベース部２に最も近接した位置にありかつピン５が第二位置にある場合に掛止部４１Ｄは、ピン５と当接することができる。第二位置においてピン５は、切断部支持部３１及びリンク支持部３２によって軸支されており、かつ掛止部４１Ｄが付勢する方向に切断部支持部３１があるため、ピン５は掛止部４１Ｄに働く付勢力に抗して切断部４の上方への揺動を抑えて、その位置を保持することができる。よって、切断部４をベース部２に最も近接させた状態で、ピン５を第二位置に配置する一の動作で、切断刃４２の外部に曝されていた部分を保護すると共に、切断部４を最も近接させた位置で保持することが可能となる。
【００３１】
次に、本発明の第二の実施の形態に係る卓上切断機を図６乃至図１１を参照して説明する。図６に示される卓上切断機である卓上丸鋸１０１は、主な構造において第一の実施の形態に係る卓上丸鋸１と同様の構成を採っており、ベース部１０２と、切断部１０４と、支持部１０３とから主に構成されている。
【００３２】
ベース部１０２は、被切断部材が載置されるベース１２１と、ターンテーブル１２２と、フェンス１２３とを備えている。尚、ベース部１０２において、ベース部１０２に対する被切断部材の位置を上方とし、上方の反対方向を下方と定義する。またベース部１０２において支持部１０３が設けられている方向を後方とし、後方の反対方向を前方と定義する。
【００３３】
ターンテーブル１２２は、ベース１２１上に回動軸１２４を介して担持され、回動軸１２４を中心として回動可能となっている。ターンテーブル１２２が回動することにより、被切断部材のいわゆる回転切りが可能になっている。ターンテーブル１２２には、切断部１０４がベース部１０２に近接する方向に揺動したときに後述の切断刃１４２が収容される弧状凹部１２２ａが形成されている。ターンテーブル１２２の前側には、ターンテーブル１２２とベース１２１との間を固定すると共にターンテーブル１２２を回動する際の把握部となる固定ハンドル１２５が設けられている。またターンテーブル１２２の後側には、支持部１０３と後述の回動軸１３５Ａで連結されて支持部１０３を傾動可能に支持する傾動支持部１２２Ａが設けられている。
【００３４】
支持部１０３は、一端が一対の腕状に構成されており一方の腕状部分の最端部には後述のピン１０５を摺動可能に軸支するためのピン保持孔１３１ａが形成されている。ピン保持孔１３１ａにおいて、ピン１０５を摺動させる方向は、後述の支持軸部１４６の軸方向と平行になるように構成されている。
【００３５】
また支持部１０３の他端は傾動支持部１２２Ａに回動軸１３５Ａで軸支されている。一対の腕状部分に跨って支持軸部１４６が設けられており、支持軸部１４６で切断部１０４が傾動可能に軸支されている。また支持軸部１４６にはバネ１３４が設けられており、バネ１３４により切断部１０４がベース部１０２から離間する方向である上方に付勢されている。
【００３６】
支持部１０３の他端側であって傾動支持部１２２Ａの近傍には、傾動機構１３５が設けられておりベース部１０２に対する支持部１０３及び切断部１０４の傾動を制御している。傾動機構１３５内には、図示せぬギア及びハンドルレバー１３５Ｂが設けられており、ハンドルレバー１３５Ｂと図示せぬギアとの連動により支持部１０３及び切断部１０４を所定の傾動角度に保持可能としている。支持部１０３及び切断部１０４が傾動することにより、被切断部材のいわゆる傾斜切りが可能になっている。
【００３７】
ピン保持孔１３１ａで軸支されるピン１０５は、何れも略円柱状の当接部１０５Ａと、第一軸部１０５Ｂと、第二軸部１０５Ｃと、摺動軸部１０５Ｄとが同軸かつ一連に設けられている。当接部１０５Ａは最も大径であり、第一軸部１０５Ｂは当接部１０５Ａより小径かつ第二軸部１０５Ｃ及び摺動軸部１０５Ｄより大径に構成されている。第二軸部１０５Ｃは摺動軸部１０５Ｄより更に小径に構成されている。摺動軸部１０５Ｄはピン保持孔１３１ａ内径と略同径に形成されており、ピン保持孔１３１ａ内をその軸方向に摺動可能となっている。また摺動軸部１０５Ｄの端部であって第二軸部１０５Ｃ等が配置されている方向の反対位置には、ピン１０５の抜け防止のためのワッシャ１０５Ｅが設けられている。尚、図８に示されるように、第二軸部１０５Ｃまでがピン保持孔１３１ａ内に入り、当接部１０５Ａ及び第一軸部１０５Ｂのみがピン保持孔１３１ａから出ている位置を第一摺動位置、図１１に示されるように、当接部１０５Ａ、第一軸部１０５Ｂ、及び第二軸部１０５Ｃがピン保持孔１３１ａから出ている位置を第二摺動位置と定義する。
【００３８】
切断部１０４は、フレーム１４１と切断刃１４２と保護カバー１４３とから主に構成されている。フレーム１４１は、切断刃１４２が配置される切断刃配置部１４１Ａと、前方側に設けられて切断部１０４の揺動時に把握箇所となるハンドル１４１Ｂと、卓上丸鋸１０１を輸送する際の保持部となる輸送用ハンドル１４１Ｃとを有している。またフレーム１４１内には切断刃１４２の回転軸１４２Ａを駆動する図示せぬモータが内蔵されており、ハンドル１４１Ｂには、図示せぬモータの駆動を制御する図示せぬスイッチが設けられている。この図示せぬスイッチを入れることにより図示せぬモータで切断刃配置部１４１Ａ内に配置された切断刃１４２が回転軸１４２Ａを回転中心として回転される。
【００３９】
保護カバー１４３は、切断刃配置部１４１Ａ及び切断刃１４２を覆うように回動軸部１４４で回動可能にフレーム１４１に取り付けられている。回動軸部１４４は、切断刃１４２の回転軸１４２Ａの上方に配置されている。よって保護カバー１４３は、切断刃１４２及び切断刃配置部１４１Ａの周囲を回動可能となっている。図６に示されるように切断部１０４がベース部１０２から最も離間した状態で、切断刃１４２の切断刃配置部１４１Ａより露出される箇所の略全てが覆われる位置（保護位置）に、保護カバー１４３が配置されている。
【００４０】
また切断部１０４がベース部１０２から最も離間した状態で、保護カバー１４３の回動軸部１４４上方位置には、リンク取付部１４５が配置されている。このリンク取付部１４５とピン１０５との間に板状のリンク１０６が設けられている。
【００４１】
リンク１０６には、一端側にピン１０５が挿入される第一孔１０６ａ及び第二長孔１０６ｂが形成され、他端にリンク取付部１４５が挿入される長孔１０６ｃがリンク１０６の長手方向に形成されている。第一孔１０６ａは、第一軸部１０５Ｂと略同径であり、第一軸部１０５Ｂが第一孔１０６ａ内に挿入された状態でリンク１０６はピン１０５を軸として回動可能となっている。第二長孔１０６ｂは、第二軸部１０５Ｃ外径と略等しい幅に形成されており、第二軸部１０５Ｃが第二長孔１０６ｂ内に挿入された状態でリンク１０６はピン１０５に対して摺動及び回動可能となっている。尚第一軸部１０５Ｂは第二軸部１０５Ｃより大径のため、第二長孔１０６ｂ内に挿入不能となっている。故にリンク１０６は、切断部支持部１３１、リンク取付部１４５、及び保護カバー１４３に対して、リンク１０６の長手方向に移動することが可能となっている。
【００４２】
また図７及び図８に示されるように、フレーム１４１であってリンク１０６の一端であるピン１０５位置近傍箇所には、ピン１０５と掛止可能な第一掛止部１４１Ｄ及び第二掛止部１４１Ｅが設けられている。第二掛止部１４１Ｅは、切断部１０４がベース部１０２から最も離間した状態で、フレーム１４１の底面となる位置に規定されており、第一掛止部１４１Ｄは、第二掛止部１４１Ｅが規定された底面と略直交する側面部分であって第二掛止部１４１Ｅが規定された底面からフレーム１４１内に凹んだ位置に規定されている。故にピン１０５が第一摺動位置にある状態で当接部１０５Ａは、第一掛止部１４１Ｄと当接し、この時のピン１０５の位置が第一位置となる。ピン１０５が第二摺動位置にある状態で当接部１０５Ａは、第二掛止部１４１Ｅと当接し、この時のピン１０５の位置が第二位置となる。
【００４３】
図６に示されるように、切断部１０４は、ベース部１０２から離間する方向に付勢されているが、ピン１０５が第一位置にあるときに当接部１０５Ａが第一掛止部１４１Ｄと当接することにより、切断部１０４は、図６に示される位置より上方に移動することができなくなっている。故にピン１０５により切断部１０４は、最もベース部１０２より離間する位置を規定され、その位置で保持されることになる。
【００４４】
図９に切断部１０４をベース部１０２に最も近接させた状態を示す。この状態おいて保護カバー１４３は、リンク１０６により、切断刃配置部１４１Ａに対して相対的に後方に引っ張られ、切断刃配置部１４１Ａ及び切断刃１４２周りを回動して略切断刃配置部１４１Ａのみを覆う位置（切断位置）に配置される。故に切断刃１４２は露出し、その露出した切断刃１４２の一部がターンテーブル１２２に形成された弧状凹部１２２ａ内に挿入される。図９に示される位置まで切断部１０４が揺動された状態で図示せぬストッパが働き、切断部１０４のベース部１０２に最も近接する位置が規定される。
【００４５】
この状態で切断刃配置部１４１Ａからベース部１０２表面までの間には隙間が存在するため、切断刃１４２の一部、より具体的には切断刃配置部１４１Ａとベース部１０２表面との間かつ前側位置の部分が外部に曝される状態となる。よってこの曝された部分を保護カバー１４３で覆うべく、リンク１０６を前方へ移動させる。
【００４６】
リンク１０６を前方へ移動させるには、図１１に示されるように、ピン１０５を第二位置へ摺動させて、第二軸部１０５Ｃが第二長孔１０６ｂ内に挿入可能とする。リンク１０６は、保護カバー１４３により、前側に引っ張られているため、図１０に示されるように、第二軸部１０５Ｃが第二長孔１０６ｂ内に入り、リンク１０６は前に移動する。
【００４７】
リンク１０６が前に移動することにより、保護カバー１４３は、切断位置から保護位置側へと移動し、その保護位置側端部がベース部１０２と当接する。これにより切断刃１４２の外部に曝される箇所が保護カバー１４３で保護される。尚、リンク１０６の前への移動量が保護カバー１４３の切断位置から保護位置側への移動量より大きくなった場合は、リンク取付部１４５が長孔１０６ｃ内を相対的に摺動することにより、リンク１０６の移動量と保護カバー１４３の移動量との差を吸収して保護カバー１４３を好適に移動させることができる。
【００４８】
また切断部１０４がベース部１０２に最も近接した位置にありかつピン１０５が第二位置にある場合に第二掛止部１４１Ｅは、当接部１０５Ａと当接することができる。ピン１０５は、切断部支持部１３１によって軸支されているため、ピン１０５は第二掛止部１４１Ｅに働く付勢力に抗して切断部１０４の上方への揺動を抑えて、その位置を保持することができる。よって、切断部１０４をベース部１０２に最も近接させた状態で、ピン１０５を第二位置に配置する一の動作で、切断刃１４２の外部に曝されていた部分を保護すると共に、切断部１０４をベース部１０２に最も近接させた位置で保持することが可能となる。
【００４９】
第１の実施の形態および第２の実施の形態においては、卓上切断機の回動状態、傾動状態における説明は特に行っていないが、回動状態、傾動状態に係わらず、保護カバーによる切断刃の保護、及び切断部がベース部から近接離間した状態での保持を行うことができることは言うまでもない。
【００５０】
また本発明による卓上切断機は上述した実施の形態に実施の形態に限定されず、特許請求の範囲で記載した種々の変形や改良が可能である。例えば第一の実施の形態及び第二の実施の形態では、切断部が回動及び傾動可能となっているが、これら回動及び傾動に係る機構を備えていない卓上切断機においても本発明を適応することができる。
【図面の簡単な説明】
【００５１】
【図１】本発明第１の実施の形態に係る卓上切断機を示す側面図。
【図２】本発明第１の実施の形態に係る卓上切断機の支持部周辺を示す部分側面図。
【図３】本発明第１の実施の形態に係る卓上切断機の支持部周辺を示す部分背面図。
【図４】本発明第１の実施の形態に係る卓上切断機が揺動した状態を示す側面図。
【図５】本発明第１の実施の形態に係る卓上切断機が揺動しかつ切断刃が保護された状態を示す側面図。
【図６】本発明第２の実施の形態に係る卓上切断機を示す側面図。
【図７】本発明第２の実施の形態に係る卓上切断機の支持部周辺を示す部分側面図。
【図８】図６のVIII−VIII線に沿った断面図。
【図９】本発明第２の実施の形態に係る卓上切断機が揺動した状態を示す側面図。
【図１０】本発明第２の実施の形態に係る卓上切断機が揺動しかつ切断刃が保護された状態を示す側面図。
【図１１】図１０のXI−XI線に沿った断面図図。
【符号の説明】
【００５２】
１、１０１・・卓上丸鋸  ２、１０２・・ベース部  ３、１０３・・支持部
４、１０４・・切断部  ５、１０５・・ピン  １０５Ａ・・当接部
１０５Ｂ・・第一軸部  １０５Ｃ・・第二軸部  １０５Ｄ・・摺動軸部
１０５Ｅ・・ワッシャ  ６、１０６・・リンク  １０６ａ・・第一孔
１０６ｂ・・第二長孔  ６ａ、１０６ｃ・・長孔  ２１、１２１・・ベース
２２、１２２・・ターンテーブル  ２２Ａ、１２２Ａ・・傾動支持部
２２ａ、１２２ａ・・弧状凹部  ２３、１２３・・フェンス  ２４、１２４・・回動軸
２５、１２５・・固定ハンドル  ３１、１３１・・切断部支持部
３２、１３２・・リンク支持部  ３３、１３３・・ボルト  ３４、１３４・・バネ
３５、１３５・・傾動機構  ３５Ａ、１３５Ａ・・回動軸
３５Ｂ、１３５Ｂ・・ハンドルレバー  ４１、１４１・・フレーム
４１Ａ、１４１Ａ・・切断刃配置部  ４１Ｂ、１４１Ｂ・・ハンドル
４１Ｃ、１４１Ｃ・・輸送用ハンドル  ４１Ｄ・・掛止部  １４１Ｄ・・第一掛止部
１４１Ｅ・・第二掛止部  ４２、１４２・・切断刃  ４２Ａ、１４２Ａ・・回転軸
４３、１４３・・保護カバー  ４４、１４４・・回動軸部
４５、１４５・・リンク取付部  ４６、１４６・・支持軸部
【図１】
0004671120.tif 000002
【図２】
0004671120.tif 000003
【図３】
0004671120.tif 000004
【図４】
0004671120.tif 000005
【図５】
0004671120.tif 000006
【図６】
0004671120.tif 000007
【図７】
0004671120.tif 000008
【図８】
0004671120.tif 000009
【図９】
0004671120.tif 000010
【図１０】
0004671120.tif 000011
【図１１】
0004671120.tif 000012